(57)【要約】      （修正有）【課題】複数人で利用しやすいテーブルを提供する。【解決手段】ベース１と、上記ベース１上に起立する支持部材２と、上記支持部材２の上端に取付けた天板３とを備えたテーブルにおいて、上記天板３が３辺４ａ、４ｂ、４ｃからなる二等辺三角形又は正三角形の頂部６Ａ、６Ｂ、６Ｃを湾曲させた角丸三角形に成形され、さらに、上記天板３の平面４上に当該平面４の中心Ｏから各辺４ａ、４ｂ、４ｃまで延びる三つの仕切り板５Ａ、５Ｂ、５Ｃを起立させている。【選択図】図１
0003207305.tif 000002
【実用新案登録請求の範囲】
【請求項１】
ベース（１）と、上記ベース（１）上に起立する支持部材（２）と、上記支持部材（２）の上端に取付けた天板（３）とを備えたテーブルにおいて、
上記天板（３）が３辺（４ａ）、（４ｂ）、（４ｃ）からなる二等辺三角形又は正三角形の頂部（５Ａ）、（５Ｂ）、（５Ｃ）を湾曲させた角丸三角形に成形され、
上記天板（３）の平面（４）上に当該平面（４）の中心（Ｏ）から各辺（４ａ）、（４ｂ）、（４ｃ）まで延びる三つの仕切り板（５Ａ）、（５Ｂ）、（５Ｃ）を起立させていることを特徴とするテーブル。
【請求項２】
ベース（１）の下面には滑り止め用の突起（７）が円周方向に沿って複数設けられていることを特徴とする請求項１に記載のテーブル。
【請求項３】
上記支持部材（２）の上端に支持板（８）が設けられており、この支持板（８）の上端にボルト又はピン（９）を介して天板（３）が結合されていることを特徴とする請求項１又は２に記載のテーブル。
【請求項４】
上記天板（３）の平面（４）上に三つの仕切り板（５Ａ）、（５Ｂ）、（５Ｃ）で三つの領域（Ａ１）、（Ａ２）、（Ａ３）が仕切られ、各領域（Ａ１）、（Ａ２）、（Ａ３）の平面（４）が色分けされていることを特徴とする請求項１、２又は３のいずれか一項に記載のテーブル。
【考案の詳細な説明】
【技術分野】
【０００１】
本考案はテーブルに関し、特に、映画館、劇場、結婚式場等の待合室やイートインコーナー等に設置されて待ち時間や食事の間に来客が手荷物を置いたり、飲食物を置いたりするのに適するテーブルに関する。
【背景技術】
【０００２】
一般に食卓用のテーブルや、荷物を置くテーブルは一つ又は複数の脚とこの脚上に設けた矩形や円形の天板で構成されている。
【０００３】
例えば、このようなテーブルとしては、特許文献１に示すような長方形の天板と折り畳み式の脚からなる高さ調整自在なテーブルが開発されている。
【０００４】
そして、映画館、劇場、結婚式場、その他の公共施設等の待合室やイートインコーナー等では上記のようなテーブルが予め複数用意されており、映画、劇、式典等が始まる前や食事中に多くの人がこのようなテーブルに荷物や飲食物を置いたりして過ごせるようになっている。
【特許文献１】特開２００７−１０５４４３号公報（要約、図面参照）
【考案の開示】
【考案が解決しようとする課題】
【０００５】
上記従来のテーブルでは、機能上特に欠陥があるわけではないが、次のような不具合の改善が望まれている。
【０００６】
即ち、特許文献１に示すような一般的なテーブルは、天板の表面が平らであるため、待機中の人が天板上に無造作に手荷物や飲食物を置けてしまう。そのため、テーブルを複数人で利用しようとすると、他人の荷物が邪魔になったり、他人の荷物と自分の荷物を間違えたりしてお互いに煩わしい気持ちになりがちとなる場合がある。
【０００７】
しかも、従来の天板が矩形のテーブルでは、複数人でテーブルを利用しようとすると、対面にいる人と視線が合いやすいため、対面にいる人が見知らぬ他人である場合は何となく居づらくなる場合がある。
【０００８】
また、誰か一人でもテーブルを利用している人がいると、他の利用客が既に他人が使っているからとテーブルの利用を遠慮してしまう場合がある。
【０００９】
上記理由により、従来のテーブルでは、複数人で利用し難く、一つのテーブルを一人に独占されてしまうケースが多発していた。
【００１０】
そこで、本考案の目的は、他人同士も含め複数人で利用しやすいテーブルを提供することである。
【課題を解決するための手段】
【００１１】
上記の目的を達成する為、本考案の手段は、ベースと、上記ベース上に起立する支持部材と、上記支持部材の上端に取付けた天板とを備えたテーブルにおいて、上記天板が３辺からなる二等辺三角形又は正三角形の頂部を湾曲させた角丸三角形に成形され、上記天板の平面上に当該平面の中心から各辺まで延びる三つの仕切り板を起立させていることを特徴とするものである。
【考案の効果】
【００１２】
本考案によれば次の効果を達成できる。
Ａ）各請求項の考案によれば、天板の平面上中心から各辺まで延びる三つの仕切り板を起立しているので、この仕切り板でテーブルの平面上に独立した三つの領域を形成できる。その結果、少なくとも、この三つの領域に手荷物や飲食物を独立しておくことが出来、自分の荷物や飲食物が他人の荷物や飲食物と混ざったり、混同するのを防止でき、安心して自分の荷物を視認でき、或いは自分の飲食物のみを飲食出来る。
Ｂ）同じく、仕切り板は中心から各辺に延びている結果、この仕切り板で仕切られた空間の領域は三角形の頂部側に位置することになり、その結果テーブルに向う人はこの頂部側に必然的に立ったり、座ることになる。この為、各辺側には人がおらず、頂部側の人同士は目線が合うことは無く、他人同士が隣にいても煩わしさを防止でき、他人が先にテーブルを利用していても、後から来た人もテーブルを利用しやすい。したがって、本考案によると、テーブルを複数人で利用しやすくなる。
Ｃ）同じく、テーブルの天板は角丸三角形に成形されているので、三つの頂部は湾曲しており、この部分に人が立ったり、座っても体に損傷を与える危険を防止できる。
Ｄ）請求項４の考案によれば、各領域の平面が色分けされているので自分が使用して領域を視認で、他人の領域に間違って荷物を置いたり、飲食物を置くのを防止できる。
【図面の簡単な説明】
【００１３】
【図１】本考案の一実施の一例に係るテーブルの斜視図である。
【図２】同じくテーブルの正面図である。
【図３】同じくテーブルの左側面図である。
【図４】同じくテーブルの平面図である。
【図５】同じくテーブルの底面図である。
【図６】図２のＡ−Ａ線横断面図である。
【考案を実施するための形態】
【００１４】
以下本考案の実施の形態を図に基づいて説明する。
【００１５】
各図は本考案の一実施の一例に係るテーブルを示す。
【００１６】
本考案のテーブルは、特に、映画館、劇場、結婚式場等の待合室に設置されて待ち時間の間に来客が手荷物を置いたり、飲食物を置いたりするのに適するテーブルに関する。
【００１７】
ただし、このテーブルは一般の食卓用テーブル、荷物置き用のテーブル、或いは一般の机としても利用可能である。
【００１８】
本考案のテーブルの基本構造は、図１に示すように、円盤状のベース１と、ベース１上に起立するロッド状の支持部材２と、支持部材２の上端に取付けた天板３とを備えたものである。
【００１９】
そして、上記天板３が３辺４ａ、４ｂ、４ｃからなる正三角形の頂部６Ａ、６Ｂ、６Ｃを湾曲させた角丸三角形に成形されている点で一つの特徴がある。
【００２０】
天板３は片４ａ、４ｂ、４ｃの長さが等しい正三角形が好ましいが、二等辺三角形でも使用可能である。
【００２１】
要は、片４ａ、４ｂ、４ｃに対して頂部６Ａ、６Ｂ、６Ｃが向き合っている形状になっていることが必要である。
【００２２】
さらに、上記天板３の平面４上に当該平面４の中心Ｏから各辺４ａ、４ｂ、４ｃまで延びる三つの仕切り板５Ａ、５Ｂ、５Ｃを起立させている点にもう一つの特徴がある。
【００２３】
ベース１は矩形でも良く、公知の支持構造を備えていればよい。
【００２４】
支持部材２は円柱でも角柱でも良く、公知のように天板３を支えているものであればどれでも良い。
【００２５】
ベース１の下面には滑り止め用の突起７が円周方向に沿って等間隔に複数設けられていて、映画館等の待合室の床にテーブルを設置してもこのテーブルが滑らないようになっている。
【００２６】
ベース１は床に固定しておいても良い。
【００２７】
図２、図６に示すように、支持部材２の上端に支持板８が設けられており、この支持板８の上端にボルト又はピン９を介して天板３が結合されている。
【００２８】
天板３の平面４上に三つの仕切り板５Ａ、５Ｂ、５Ｃで三つの領域Ａ１、Ａ２、Ａ３が仕切られ、各領域Ａ１、Ａ２、Ａ３の平面がそれぞれ異なる色、例えば茶色、緑色、黄色等で色分けされている。
【００２９】
上記のようなテーブルが映画館等の待合室に設置されていると、例えば映画が始まる前に待合室で待機している人がこのテーブルの天板３上に手荷物を置いたり、飲食物を置く。
【００３０】
この場合、区画された三つの領域Ａ１、Ａ２、Ａ３は湾曲したコーナたる頂部６Ａ、６Ｂ、６Ｃ側に広がっており、しかも各辺４ａ、４ｂ、４ｃ側には仕切り板５Ａ、５Ｂ、５Ｃの端部が延びていることからこれが邪魔になるのでこの部分には行くことがなく、必然的に待ち人は頂部６Ａ、６Ｂ、６Ｃ側のコーナに立ち、その姿勢で自分の前の領域に荷物を置いたり、飲食物をおき、他人の前の他の領域に無造作に荷物を置くことは防止される。
【００３１】
その結果、少なくとも、この三つの領域Ａ１、Ａ２、Ａ３に各人がそれぞれ手荷物や飲食物を独立しておくことが出来、他人の荷物や飲食物と混ざったり、混同するのを防止でき、安心して自分の荷物を視認でき、或いは自分の飲食物のみを飲食出来る。
【００３２】
また、上記したように、仕切り板５Ａ、５Ｂ、５Ｃで仕切られた空間の領域Ａ１、Ａ２、Ａ３は三角形の頂部６Ａ、６Ｂ、６Ｃ側に位置することになり、その結果テーブルに向う人はこの頂部側に必然的に立ったり、座ることになる為、各辺４ａ、４ｂ、４ｃ側には人がおらず、頂部６Ａ、６Ｂ、６Ｃ側に立つ人の目線は人の居ない片４ａ、４ｂ、４ｃ側に向けられ、他人同士は目線が合うことは無い。
【００３３】
その為、他人同士が隣にいても煩わしさが防止でき、気軽に映画の開演の始まるのを待つことが出来る。
【００３４】
以上より、一つのテーブルを複数人で一緒に利用できるようになっている。
【００３５】
また、テーブルの天板３は角丸三角形に成形されているので、三つの頂部６Ａ、６Ｂ、６Ｃは湾曲しており、この部分に人が立ったり、座っても体に損傷を与える危険を防止できる。
【００３６】
さらに、各領域Ａ１、Ａ２，Ａ３の平面が色分けされているので自分が使用して領域を視認で、他人の領域に間違って荷物を置いたり、飲食物を置くのを防止できる。
【符号の説明】
【００３７】
１  ベース
２  支持部材
３  天板
４  平面
４ａ、４ｂ、４ｃ  辺
５Ａ、５Ｂ、５Ｃ    仕切り板
６Ａ、６Ｂ、６Ｃ  頂部
７  突起
８  支持板
９  ピン
Ａ１、Ａ２、Ａ３  領域
Ｏ  中心
【図１】
0003207305.tif 000003
【図２】
0003207305.tif 000004
【図３】
0003207305.tif 000005
【図４】
0003207305.tif 000006
【図５】
0003207305.tif 000007
【図６】
0003207305.tif 000008